(57)【特許請求の範囲】
【請求項１】
撮像条件に含まれる所定のパラメータについて値の変更をシミュレーションする指示を、パラメータについて値を変更する操作とは異なる操作によって受け付ける受付部と、
前記所定のパラメータと連動して値が変更し得るパラメータを特定し、特定したパラメータを、前記所定のパラメータについて値が変更される前に、前記撮像条件を編集するための編集画面上で他のパラメータと区別して表示するように制御する表示制御部と
を備えたことを特徴とする磁気共鳴イメージング装置。
【請求項２】
撮像条件に含まれる所定のパラメータについて値の上限方向への変更をシミュレーションする指示、又は、下限方向への変更をシミュレーションする指示のいずれかを受け付け、受け付けた方向に応じたシミュレーション値を前記指示を受け付けたパラメータに設定する設定部と、
前記所定のパラメータに設定されたシミュレーション値を用いて、前記撮像条件に含まれる他のパラメータの値を計算する計算部と、
前記計算の結果に基づいて、前記所定のパラメータと連動して値が変更し得るパラメータを特定し、特定したパラメータを、前記撮像条件を編集するための編集画面上で他のパラメータと区別して表示するように制御する表示制御部と、
を備えたことを特徴とする磁気共鳴イメージング装置。
【請求項３】
撮像条件に含まれる所定のパラメータについて値の変更をシミュレーションする指示を受け付け、前記指示を受け付けたパラメータにシミュレーション値を設定する設定部と、
前記所定のパラメータに設定されたシミュレーション値を用いて、前記撮像条件に含まれる他のパラメータの値を計算する計算部と、
前記計算の結果に基づいて、前記所定のパラメータと連動して値が変更し得るパラメータを特定し、特定したパラメータを、前記撮像条件を編集するための編集画面上で他のパラメータと区別して表示するように制御する表示制御部と、
を備え、
前記編集画面は、各編集画面に付されたタブが選択されると、選択されたタブが付された編集画面に切り替えて表示される編集画面群であり、
前記表示制御部は、前記特定したパラメータが、前記所定のパラメータが属する編集画面と同一のタブが付された編集画面に属するパラメータである場合は、前記特定したパラメータを前記他のパラメータと異なる色で表示し、前記特定したパラメータが、前記所定のパラメータが属する編集画面と同一のタブが付された編集画面に属するパラメータでない場合は、前記特定したパラメータが属する編集画面に付されたタブを、他の編集画面に付されたタブと異なる色で表示するように制御することを特徴とする磁気共鳴イメージング装置。
【請求項４】
撮像条件に含まれる所定のパラメータについて値の変更をシミュレーションする指示を受け付け、前記指示を受け付けたパラメータにシミュレーション値を設定する設定部と、
前記所定のパラメータに設定されたシミュレーション値を用いて、前記撮像条件に含まれる他のパラメータの値を計算する計算部と、
前記計算の結果に基づいて、前記所定のパラメータと連動して値が変更し得るパラメータを特定し、特定したパラメータを、前記撮像条件を編集するための編集画面上で他のパラメータと区別して表示するように制御する表示制御部と、
を備え、
前記設定部は、前記値の変更をシミュレーションする指示の受け付けを、前記所定のパラメータに対して値の変更を指示する変更指示を受け付けるＧＵＩ上のボタンと同一のボタンにおいて、前記変更指示の操作と異なる操作によって受け付けることを特徴とする磁気共鳴イメージング装置。
【請求項５】
前記所定のパラメータと連動して値が変更し得る複数のパラメータのうち、いずれかのパラメータについて値を固定する指示を受け付け、前記指示を受け付けたパラメータに固定値を設定する固定値設定部と、
前記所定のパラメータのシミュレーション値、及び、前記所定のパラメータと連動して値が変更し得るパラメータに設定された固定値を用いて、前記撮像条件に含まれる他のパラメータの値を計算する計算部と、
を更に備えることを特徴とする請求項１に記載の磁気共鳴イメージング装置。
【請求項６】
前記所定のパラメータと連動して値が変更し得る複数のパラメータのうち、いずれかのパラメータについて値を固定する指示を受け付け、前記指示を受け付けたパラメータに固定値を設定する固定値設定部を更に備え、
前記計算部は、前記所定のパラメータに設定されたシミュレーション値、及び、前記所定のパラメータと連動して値が変更し得るパラメータに設定された固定値を用いて、前記撮像条件に含まれる他のパラメータの値を計算することを特徴とする請求項２〜４のいずれか一つに記載の磁気共鳴イメージング装置。
【発明の詳細な説明】
【技術分野】
【０００１】
本発明の実施形態は、磁気共鳴イメージング装置に関する。
【背景技術】
【０００２】
一般に、磁気共鳴イメージング装置（以下、ＭＲＩ（Magnetic  Resonance  Imaging）装置）による撮像は、予め設定された撮像条件に従って行われる。例えば、撮像計画時、ＭＲＩ装置の操作者は、コンソールに表示された撮像条件編集画面（以下、編集画面）を見ながら撮像条件を編集する。この編集後の撮像条件がＭＲＩ装置に設定され、ＭＲＩ装置は、設定された撮像条件に従って撮像を行う。ＭＲＩ装置による撮像の種類は様々であるため、撮像条件の編集も、撮像条件に含まれる多数のパラメータに対して細かく行われる。
【０００３】
ここで、あるパラメータに対して行われた値の変更が、１つ又は複数の他のパラメータの値に波及することがある。このため、従来のＭＲＩ装置には、このようなパラメータの値が変更された場合に、他のパラメータの値を自動的に変更し、変更後の値を異なる色で表示する仕組みが組み込まれている。しかしながら、例えば操作者の熟練度が低い場合、操作者にとって意図しないパラメータの値が変更されてしまう結果となり、撮像条件の編集は難しいものとなっている。
【先行技術文献】
【特許文献】
【０００４】
【特許文献１】特開２００６−２５５１８９号公報
【発明の概要】
【発明が解決しようとする課題】
【０００５】
本発明が解決しようとする課題は、撮像条件の編集を簡易に行うことができるＭＲＩ装置を提供することである。
【課題を解決するための手段】
【０００６】
実施形態のＭＲＩ装置は、受付部と、表示制御部とを備える。前記受付部は、撮像条件に含まれる所定のパラメータについて値の変更をシミュレーションする指示を、パラメータについて値を変更する操作とは異なる操作によって受け付ける。前記表示制御部は、前記所定のパラメータと連動して値が変更し得るパラメータを特定し、特定したパラメータを、前記所定のパラメータについて値が変更される前に、前記撮像条件を編集するための編集画面上で他のパラメータと区別して表示するように制御する。
【図面の簡単な説明】
【０００７】
【図１】図１は、第１の実施形態に係るＭＲＩ装置の構成を示すブロック図である。
【図２】図２は、第１の実施形態に係る編集画面の一例を示す図である。
【図３】図３は、第１の実施形態に係る編集画面の一例を示す図である。
【図４】図４は、第１の実施形態に係る編集画面の一例を示す図である。
【図５】図５は、第１の実施形態に係る編集画面の一例を示す図である。
【図６】図６は、第１の実施形態に係る計算機システムの構成を示すブロック図である。
【図７】図７は、第１の実施形態に係るパラメータ値設定部による処理手順を示すフローチャートである。
【図８】図８は、第１の実施形態に係るパラメータ値計算部による処理手順を示すフローチャートである。
【図９】図９は、第１の実施形態に係るパラメータ値計算部による計算処理を説明するための図である。
【図１０】図１０は、第１の実施形態に係るパラメータ値計算部による計算処理を説明するための図である。
【図１１】図１１は、第１の実施形態に係る編集画面表示制御による処理手順を示すフローチャートである。
【図１２】図１２は、第２の実施形態に係るＭＲＩ装置の構成を示すブロック図である。
【図１３】図１３は、第２の実施形態に係る編集画面の一例を示す図である。
【図１４】図１４は、第２の実施形態に係る編集画面の一例を示す図である。
【発明を実施するための形態】
【０００８】
（第１の実施形態）
第１の実施形態に係るＭＲＩ装置は、撮像条件に含まれるパラメータの値が変更される前に、変更の影響が及び得る他のパラメータを操作者に通知する。以下、第１の実施形態に係るＭＲＩ装置の構成を簡単に説明した後に、第１の実施形態における具体的な処理を詳細に説明する。
【０００９】
図１は、第１の実施形態に係るＭＲＩ装置１００の構成を示すブロック図である。静磁場磁石１は、中空の円筒形状に形成され、内部の空間に一様な静磁場を発生する。静磁場磁石１は、例えば、永久磁石、超伝導磁石などである。傾斜磁場コイル２は、中空の円筒形状に形成され、内部の空間に傾斜磁場を発生する。具体的には、傾斜磁場コイル２は、静磁場磁石１の内側に配置され、傾斜磁場電源３から電流の供給を受けて、傾斜磁場を発生する。傾斜磁場電源３は、シーケンス制御部１０から送信される制御信号に従って、傾斜磁場コイル２に電流を供給する。
【００１０】
寝台４は、被検体Ｐが載置される天板４ａを備え、天板４ａを、被検体Ｐが載置された状態で、撮像口である傾斜磁場コイル２の空洞内へ挿入する。通常、寝台４は、長手方向が静磁場磁石１の中心軸と平行になるように設置される。寝台制御部５は、寝台４を駆動して、天板４ａを長手方向及び上下方向へ移動する。
【００１１】
送信コイル６は、高周波磁場を発生する。具体的には、送信コイル６は、傾斜磁場コイル２の内側に配置され、送信部７から高周波パルス（以下、ＲＦ（Radio  Frequency）パルス）の供給を受けて、高周波磁場を発生する。送信部７は、シーケンス制御部１０から送信される制御信号に従って、ラーモア周波数に対応するＲＦパルスを送信コイル６に送信する。
【００１２】
受信コイル８は、磁気共鳴信号（以下、ＭＲ（Magnetic  Resonance）信号）を受信する。具体的には、受信コイル８は、傾斜磁場コイル２の内側に配置され、高周波磁場の影響によって被検体Ｐから放射されるＭＲ信号を受信する。また、受信コイル８は、受信したＭＲ信号を受信部９に出力する。
【００１３】
受信部９は、シーケンス制御部１０から送られる制御信号に従って、受信コイル８から出力されたＭＲ信号に基づきＭＲ信号データを生成する。具体的には、受信部９は、受信コイル８から出力されたＭＲ信号をデジタル変換することによってＭＲ信号データを生成し、生成したＭＲ信号データを、シーケンス制御部１０を介して計算機システム２０に送信する。なお、受信部９は、静磁場磁石１や傾斜磁場コイル２などを備える架台装置側に備えられていてもよい。
【００１４】
シーケンス制御部１０は、傾斜磁場電源３、送信部７、及び受信部９を制御する。具体的には、シーケンス制御部１０は、計算機システム２０から送信されたパルスシーケンス実行データに基づく制御信号を、傾斜磁場電源３、送信部７、及び受信部９に送信する。
【００１５】
計算機システム２０は、インタフェース部２１と、画像再構成部２２と、記憶部２３と、入力部２４と、表示部２５と、制御部２６とを備える。インタフェース部２１は、シーケンス制御部１０に接続され、シーケンス制御部１０と計算機システム２０との間で送受信されるデータの入出力を制御する。画像再構成部２２は、シーケンス制御部１０から送信されたＭＲ信号データから画像データを再構成し、再構成した画像データを記憶部２３に格納する。
【００１６】
記憶部２３は、撮像条件に含まれるパラメータに設定された値、画像再構成部２２によって格納された画像データや、ＭＲＩ装置１００において用いられるその他のデータを記憶する。例えば、記憶部２３は、ＲＡＭ（Random  Access  Memory）、フラッシュメモリ（flash  memory）などの半導体メモリ素子、ハードディスク、光ディスクなどである。
【００１７】
入力部２４は、撮像条件を編集するための各種指示や撮像指示などを操作者から受け付ける。例えば、入力部２４は、撮像条件に含まれるパラメータに対する値の変更指示や、値の変更をシミュレーションする指示などを受け付ける。例えば、入力部２４は、マウス、キーボードなどである。表示部２５は、編集画面や画像データなどを表示する。例えば、表示部２５は、液晶ディスプレイなどである。
【００１８】
制御部２６は、上述した各部を制御することによってＭＲＩ装置１００を総括的に制御する。例えば、制御部２６は、撮像条件の編集を操作者から受け付けると、受け付けた撮像条件に基づいてパルスシーケンス実行データを生成し、生成したパルスシーケンス実行データをシーケンス制御部１０に送信する。例えば、制御部２６は、ＡＳＩＣ（Application  Specific  Integrated  Circuit）、ＦＰＧＡ（Field  Programmable  Gate  Array）などの集積回路、ＣＰＵ（Central  Processing  Unit）、ＭＰＵ（Micro  Processing  Unit）などの電子回路である。
【００１９】
ところで、第１の実施形態に係るＭＲＩ装置１００は、上述したように、撮像条件に含まれるパラメータの値（以下、パラメータ値）が変更される前に、変更の影響が及び得る他のパラメータを操作者に通知する。
【００２０】
図２〜５は、第１の実施形態に係る編集画面の一例を示す図である。なお、図２〜５において、色を表現することが困難であるため、説明の便宜上円で囲むなどして説明する。
【００２１】
第１の実施形態に係るＭＲＩ装置１００は、例えば、図２の符号ａに示すように、パラメータ『Ｎｏ  Ｓｌｉｃｅ（スライス数）』について、下限方向への値の変更をシミュレーションする指示を受け付けると、図３の符号ｂに示すように、変更の影響が及び得るパラメータとしてパラメータ『ＴＲ（Repetition  Time：繰り返し時間）』のパラメータ値を他のパラメータのパラメータ値と異なる色で表示する。例えば、ＭＲＩ装置１００は、『２６６．０』の文字を赤色（編集画面の背景は黒色、他のパラメータは白色）で表示する。これは、パラメータ『Ｎｏ  Ｓｌｉｃｅ』の値を下限方向に変更すると、パラメータ『ＴＲ』に影響が及ぶことを操作者に通知するものである。
【００２２】
また、第１の実施形態に係るＭＲＩ装置１００は、例えば、図４の符号ｃに示すように、パラメータ『Ｎｏ  Ｓｌｉｃｅ』について、上限方向への値の変更をシミュレーションする指示を受け付けると、図５の符号ｄに示すように、変更の影響が及び得るパラメータとしてパラメータ『ＴＲ』のパラメータ値を他のパラメータのパラメータ値と異なる色で表示するとともに、符号ｅに示すように、変更の影響が及び得るパラメータが属する編集画面のタブとしてタブ『ＳＡＲ（Specific  Absorption  Rate：比吸収率）』を他のタブと異なる色で表示する。例えば、ＭＲＩ装置１００は、『２６６．０』の文字を赤色（編集画面の背景は黒色、他のパラメータは白色）で表示するとともに、タブ『ＳＡＲ』の文字を赤色（編集画面の背景は黒色、他のタブは白色）で表示する。これは、パラメータ『Ｎｏ  Ｓｌｉｃｅ』の値を上限方向に変更すると、タブ『ＳＡＲ』に属するパラメータに影響が及ぶことを操作者に通知するものである。
【００２３】
なお、図２及び図４に示すように、第１の実施形態において、編集画面は、各編集画面に付されたタブが選択されると、選択されたタブが付された編集画面に切り替えて表示される編集画面群である。例えば、図２及び図４に示すように、『Ｂａｓｉｃ』のタブが付された編集画面、『ＳＡＲ』のタブが付された編集画面、及び『Ａｄｖａｎｃｅ』のタブが付された編集画面の編集画面群である。
【００２４】
このようなＭＲＩ装置１００の機能は、第１の実施形態において、計算機システム２０によって実現される。そこで、以下では、第１の実施形態に係る計算機システム２０を詳細に説明する。
【００２５】
図６は、第１の実施形態に係る計算機システム２０の構成を示すブロック図である。図６に示すように、計算機システム２０の記憶部２３は、編集画面情報記憶部２３ａと、パラメータ値記憶部２３ｂとを備える。
【００２６】
編集画面情報記憶部２３ａは、編集画面の定義情報などを記憶する。また、パラメータ値記憶部２３ｂは、プリセットされたパラメータ値や、撮像条件が編集された後のパラメータ値などを記憶する。編集画面情報記憶部２３ａ及びパラメータ値記憶部２３ｂによって記憶された各種情報は、後述するパラメータ値計算部２６ｂや編集画面表示制御部２６ｃによる処理に利用される。
【００２７】
制御部２６は、パラメータ値設定部２６ａと、パラメータ値計算部２６ｂと、編集画面表示制御部２６ｃとを備える。
【００２８】
（パラメータ値設定部２６ａ）
パラメータ値設定部２６ａは、撮像条件の編集操作として、パラメータ値の変更指示、又は、パラメータ値の変更をシミュレーションする指示（以下、シミュレーション指示）を、入力部２４を介して受け付ける。例えば、図２及び図４に示すように、パラメータ値設定部２６ａは、例えば、パラメータ『Ｎｏ  Ｓｌｉｃｅ』の横に配置された上向きの三角ボタン又は下向きの三角ボタンにおいて、マウスの左クリック又は右クリックを受け付ける。
【００２９】
また、パラメータ値設定部２６ａは、受け付けた編集操作が通常の変更指示である場合は、変更指示を受け付けたパラメータに、変更指示後のパラメータ値を設定し、設定後のパラメータ値をパラメータ値記憶部２３ｂに格納する。一方、パラメータ値設定部２６ａは、受け付けた編集操作がシミュレーション指示である場合は、シミュレーション指示を受け付けたパラメータにシミュレーション値を設定する。
【００３０】
そして、パラメータ値設定部２６ａは、変更指示又はシミュレーション指示を受け付けたパラメータ、このパラメータに設定されたパラメータ値又はシミュレーション値、及び、変更指示であるかシミュレーション指示であるかを示すシミュレーションフラグを、パラメータ値計算部２６ｂに送る。
【００３１】
図７は、第１の実施形態に係るパラメータ値設定部２６ａによる処理手順を示すフローチャートである。図７に示すように、パラメータ値設定部２６ａは、入力部２４を介して編集操作を受け付けると（ステップＳ１０１）、受け付けた操作が、入力部２４であるマウスの右クリックであったか否かを判定する（ステップＳ１０２）。すなわち、第１の実施形態において、パラメータ値設定部２６ａは、シミュレーション指示の受け付けを、通常の変更指示を受け付けるボタンと同一のボタン（例えば、図２及び図４に示す三角ボタン）において受け付けるが、変更指示の操作である左クリックと異なる操作である右クリックによって受け付ける。
【００３２】
左クリックの場合（ステップＳ１０２否定）、パラメータ値設定部２６ａは、通常の変更指示であるので、編集画面上で押下されたボタンの種類及び回数を取得し（ステップＳ１０３）、該当するパラメータのパラメータ値に、種類及び回数に応じたパラメータ値を設定する（ステップＳ１０４）。
【００３３】
例えば、パラメータ値設定部２６ａは、編集画面上で押下されたボタンの種類が、パラメータ『Ｎｏ  Ｓｌｉｃｅ』に対応する上向きの三角ボタンであること、及び、押下された回数が『５回』であることを取得する。そして、パラメータ値設定部２６ａは、パラメータ『Ｎｏ  Ｓｌｉｃｅ』のパラメータ値に、現在設定されているパラメータ値『２０』に『５』を加えたパラメータ値『２５』を設定し、設定後のパラメータ値『２５』をパラメータ値記憶部２３ｂに格納する。
【００３４】
その後、パラメータ値設定部２６ａは、シミュレーション指示であることを示すシミュレーションフラグを「ＯＦＦ」に設定し（ステップＳ１０５）、変更指示を受け付けたパラメータ、このパラメータに設定されたパラメータ値、及びシミュレーションフラグをパラメータ値計算部２６ｂに送り、処理を終了する。
【００３５】
一方、ステップＳ１０２において、右クリックの場合（ステップＳ１０２肯定）、パラメータ値設定部２６ａは、シミュレーション指示であるので、続いて、上向きの三角ボタンであるか否かを判定する（ステップＳ１０６）。すなわち、第１の実施形態において、パラメータ値設定部２６ａは、パラメータ値の上限方向への変更をシミュレーションするシミュレーション指示、又は、下限方向への変更をシミュレーションするシミュレーション指示のいずれかを、区別して受け付ける。そして、パラメータ値設定部２６ａは、受け付けた方向に応じたシミュレーション値を、該当するパラメータのパラメータ値に設定する。
【００３６】
図４の符号ｃに示すように、上向きの三角ボタンである場合（ステップＳ１０６肯定）、パラメータ値の上限方向への変更をシミュレーションするシミュレーション指示であるので、パラメータ値設定部２６ａは、シミュレーション値として、該当するパラメータの許容設定範囲に含まれる最大値を、シミュレーション指示を受け付けたパラメータに設定する（ステップＳ１０７）。
【００３７】
一方、図２の符号ａに示すように、下向きの三角ボタンである場合（ステップＳ１０６否定）、パラメータ値の下限方向への変更をシミュレーションするシミュレーション指示であるので、パラメータ値設定部２６ａは、シミュレーション値として、該当するパラメータの許容設定範囲に含まれる最小値を、シミュレーション指示を受け付けたパラメータに設定する（ステップＳ１０８）。
【００３８】
その後、パラメータ値設定部２６ａは、シミュレーション指示であることを示すシミュレーションフラグを「ＯＮ」に設定し（ステップＳ１０９）、シミュレーション指示を受け付けたパラメータ、このパラメータに設定されたシミュレーション値、及びシミュレーションフラグをパラメータ値計算部２６ｂに送り、処理を終了する。
【００３９】
なお、図７に示した処理手順は一例に過ぎない。例えば、第１の実施形態において、パラメータ値設定部２６ａは、左クリックであるか右クリックであるかに応じて、通常の変更指示であるかシミュレーション指示であるかを判定した。このような手法によれば、シミュレーション指示のための操作が通常の変更指示と殆ど変らないこと、シミュレーション指示のための特別なボタンを表示する必要がなく、編集画面の設計上好ましいこと、などが利点として挙げられる。なお、右クリックにシミュレーション指示を割り当てる例に限られるものではなく、例えばマウスの中央に操作ボタンがあれば、中央の操作ボタンのクリックにシミュレーション指示を割り当ててもよい。すなわち、何らかの指示が割り当てられていない操作であればよい。
【００４０】
もっとも、実施形態にはこれに限られるものではない。例えば、他の操作と通常の操作との組合せによって、通常の変更指示であるかシミュレーション指示であるかを判定する手法であってもよい。例えば、単にマウスの左クリックがなされた場合であるか、マウスの左クリックがなされるとともに、キーボードの「Ｓｈｉｆｔキー」、「Ｃｔｒｌキー」、又は「Ａｌｔキー」などが組み合わせて押下された場合であるかによって判定する手法であってもよい。また、例えば、シミュレーション指示のための特別なボタンや、シミュレーションモードに切り替えるためのメニューなどを、編集画面上に表示する手法であってもよい。
【００４１】
また、例えば、第１の実施形態において、パラメータ値設定部２６ａは、シミュレーション値として、該当するパラメータの許容設定範囲に含まれる最大値や最小値を設定した。このような手法によれば、シミュレーションがシンプルになることなどが利点として挙げられる。もっとも、実施形態はこれに限られるものではない。例えば、通常の変更指示と同様に、パラメータ値設定部２６ａは、編集画面上で押下されたボタンの種類及び回数を取得し、取得した種類及び回数に応じたパラメータ値をシミュレーション値として設定してもよい。
【００４２】
（パラメータ値計算部２６ｂ）
図６に戻り、パラメータ値計算部２６ｂは、パラメータ、パラメータ値又はシミュレーション値、及びシミュレーションフラグを、パラメータ値設定部２６ａから受け付ける。通常の変更指示の場合は、パラメータに設定されたパラメータ値を用いて、また、シミュレーション指示の場合は、パラメータに設定されたシミュレーション値を用いて、撮像条件に含まれる他のパラメータのパラメータ値を計算する。なお、この計算処理は、後述するように、必要に応じて行われる。
【００４３】
そして、パラメータ値計算部２６ｂは、計算処理を行った場合は、パラメータ値設定部２６ａから受け付けたパラメータ及びシミュレーションフラグと、計算結果である各パラメータのパラメータ値とを編集画面表示制御部２６ｃに送る。また、パラメータ値計算部２６ｂは、計算処理を行わなかった場合は、パラメータ値設定部２６ａから受け付けたパラメータ及びシミュレーションフラグを編集画面表示制御部２６ｃに送る。
【００４４】
図８は、第１の実施形態に係るパラメータ値計算部２６ｂによる処理手順を示すフローチャートである。図８に示すように、パラメータ値計算部２６ｂは、パラメータ値設定部２６ａから、パラメータ、パラメータ値又はシミュレーション値、及びシミュレーションフラグを受け付けると（ステップＳ２０１）、受け付けたパラメータについて行われるパラメータ値の変更が、他のパラメータのパラメータ値に影響し得るか否かを判定する（ステップＳ２０２）。
【００４５】
ここで、以下では、パラメータ値の変更が他のパラメータのパラメータ値に影響し得るパラメータ、あるいは、他のパラメータのパラメータ値の変更の影響を受けてパラメータ値が変更し得るパラメータのことを、適宜「連動パラメータ」という。すなわち、ステップＳ２０２において、パラメータ値計算部２６ｂは、パラメータ値設定部２６ａから受け付けたパラメータが、連動パラメータであるか否かを判定する。また、第１の実施形態において、パラメータ値計算部２６ｂは、撮像条件に含まれる各パラメータについて、連動パラメータであるか否かを示す情報を、操作者によって事前に登録されることで予め記憶しており、この情報に基づいて連動パラメータであるか否かを判定する。
【００４６】
連動パラメータでない場合（ステップＳ２０２否定）、パラメータ値計算部２６ｂは、他のパラメータのパラメータ値を計算する計算処理が不要であるので、パラメータ値設定部２６ａから受け付けたパラメータ及びシミュレーションフラグを編集画面表示制御部２６ｃに送り、処理を終了する。
【００４７】
一方、連動パラメータである場合（ステップＳ２０２肯定）、パラメータ値計算部２６ｂは、既存のアルゴリズムを用いた計算処理によって、撮像条件に含まれる他のパラメータのパラメータ値を計算し（ステップＳ２０３）、パラメータ値設定部２６ａから受け付けたパラメータ及びシミュレーションフラグと、計算結果である各パラメータのパラメータ値とを、編集画面表示制御部２６ｃに送る。
【００４８】
なお、この計算処理に用いられるパラメータ値は、通常の変更指示の場合は、パラメータに設定されたパラメータ値であり、また、シミュレーション指示の場合は、パラメータに設定されたシミュレーション値であるが、パラメータ値計算部２６ｂは、特にこの違いを把握することなく計算処理を行えばよい。すなわち、パラメータ値計算部２６ｂによる計算処理は、既存のアルゴリズムを用いた計算処理に変更を加えることなく、実現することができる。
【００４９】
図９及び図１０は、第１の実施形態に係るパラメータ値計算部２６ｂによる計算処理を説明するための図である。上述したように、パラメータ値計算部２６ｂは、既存のアルゴリズムを用いた計算処理を行う。撮像条件に含まれるパラメータは多数、かつ、パラメータ間の影響関係は複雑である。既存のアルゴリズムは、相互に影響し合うパラメータ群として予め特定されたパラメータ群について、あるパラメータのパラメータ値が変更された場合に他のパラメータ値を計算するための計算式として予め生成されたものである。なお、パラメータは多数であるので、一般に、既存のアルゴリズムは、複数の計算式を含む。
【００５０】
図９に示すように、例えば、パラメータａ、パラメータｂ、パラメータｃ、及びパラメータｘの間に影響関係が存在することが、予め特定されていたとする。この場合、例えば、図９に示すように、パラメータａ、パラメータｂ、又はパラメータｃのパラメータ値が変更された場合にパラメータｘのパラメータ値を計算するための既存のアルゴリズムとして、ｘ＝ｆ（ａ、ｂ、ｃ）が予め生成される。
【００５１】
例えば、パラメータ値設定部２６ａによってパラメータａに対するシミュレーション指示が受け付けられ、パラメータａに最大値が設定されたとする。この場合、パラメータ値計算部２６ｂは、既存のアルゴリズムを参照し、複数の計算式の中から例えばパラメータａを含む計算式を抽出し、例えば「ｘ＝ｆ（ａ、ｂ、ｃ）」を取得する。次に、パラメータ値計算部２６ｂは、パラメータ値記憶部２３ｂを参照し、関数ｆ（ａ、ｂ、ｃ）に含まれる他のパラメータｂ及びパラメータｃに現在設定されているパラメータ値（図６において「設定値」）を取得する。
【００５２】
そして、パラメータ値計算部２６ｂは、パラメータａには最大値を代入し、パラメータｂ及びパラメータｃには現在設定されているパラメータ値を代入することで、関数ｆ（ａ、ｂ、ｃ）を計算し、計算結果として、パラメータｘのパラメータ値を取得する。このパラメータｘのパラメータ値は、パラメータ値設定部２６ａによって受け付けられた指示がシミュレーション指示である場合、シミュレーション結果となる。
【００５３】
既存のアルゴリズムについて、具体的な例を挙げて説明する。撮像条件に含まれるパラメータの一つに『ＳＡＲ』がある。ＭＲＩ装置による撮像においては、撮像計画段階においてパラメータ値に適宜制限を加えることで、このＳＡＲの値が許容値を超過しないように制御される。このＳＡＲの値は、例えば、静磁場の２乗に比例し、フリップ角の２乗に比例し、一定時間内のＲＦパルスの数に比例することなどが既知である。このため、このような既知の関係から、ＳＡＲの値と、撮像条件に含まれる複数のパラメータとの数学的な関係も既知となり、既知のアルゴリズムが予め生成される。例えば、パラメータ値計算部２６ｂは、ＳＡＲ＝ｆ（パラメータ『ＴＲ』、パラメータ『ＦＡ（Flip  Angle：フリップ角）』、パラメータ『スライス数』）という計算式を、既知のアルゴリズムとして予め記憶する。
【００５４】
また、パラメータ値計算部２６ｂは、このような計算式を、例えば図１０に示すようなｉｆ文で記述されたプログラムとして記憶する。なお、図１０に示す例は、ある計算式について示した一例に過ぎない。例えば、パラメータ『ＮＵＭ＿ＤＵＭＭＹ＿ＳＨＯＴ』＝ｆ（パラメータ『ＤＥＴＡＩＬ＿ＴＲ』、パラメータ『ＦＬＩＰ＿ＡＮＧＬＥ』、パラメータ『ＧＡＴＩＮＧ＿ＭＥＴＨＯＤ』）という計算式に対応するプログラムである。なお、パラメータ値計算部２６ｂによって記憶される既存のアルゴリズムは、運用の形態に応じて適宜生成されたプログラムであればよい。また、一般に、パラメータ値計算部２６ｂは、このようなプログラムを多数記憶する。
【００５５】
（編集画面表示制御部２６ｃ）
図６に戻り、編集画面表示制御部２６ｃは、パラメータ値計算部２６ｂにて計算処理が行われた場合、パラメータ値設定部２６ａから受け付けたパラメータ及びシミュレーションフラグと、計算結果である各パラメータのパラメータ値とをパラメータ値計算部２６ｂから受け付ける。また、編集画面表示制御部２６ｃは、パラメータ値計算部２６ｂにて計算処理が行われていない場合、パラメータ値設定部２６ａから受け付けたパラメータ及びシミュレーションフラグをパラメータ値計算部２６ｂから受け付ける。
【００５６】
そして、編集画面表示制御部２６ｃは、パラメータ値計算部２６ｂにて計算処理が行われた場合は、計算結果に基づいて、影響を受けた連動パラメータを特定し、特定した連動パラメータを、編集画面上で他のパラメータと区別して表示するように制御する。
【００５７】
図１１は、第１の実施形態に係る編集画面表示制御部２６ｃによる処理手順を示すフローチャートである。図１１に示すように、編集画面表示制御部２６ｃは、パラメータ値設定部２６ａからパラメータ及びシミュレーションフラグなどを受け付けると（ステップＳ３０１）、シミュレーションフラグが「ＯＮ」であるか否かを判定する（ステップＳ３０２）。
【００５８】
シミュレーションフラグが「ＯＦＦ」の場合（ステップＳ３０２否定）、編集画面表示制御部２６ｃは、編集画面情報記憶部２３ａ及びパラメータ値記憶部２３ｂを参照し、通常のパラメータ値変更を伴う編集処理として、変更後のパラメータ値に応じた編集画面を表示する（ステップＳ３０３）。
【００５９】
一方、シミュレーションフラグが「ＯＮ」の場合（ステップＳ３０２肯定）、編集画面表示制御部２６ｃは、影響を受けた連動パラメータが存在するか否かを判定する（ステップＳ３０４）。
【００６０】
例えば、編集画面表示制御部２６ｃは、パラメータ値計算部２６ｂから計算結果である各パラメータのパラメータ値を受け付けていない場合は、そもそも計算処理が行われていない場合であるので、影響を受けた連動パラメータは存在しないと判定する。また、例えば、編集画面表示制御部２６ｃは、パラメータ値計算部２６ｂから計算結果である各パラメータのパラメータ値を受け付けた場合は、計算結果として示されたパラメータ値と、現在設定されているパラメータ値としてパラメータ値記憶部２３ｂに記憶されているパラメータ値とを比較し、変更が生じていれば、影響を受けた連動パラメータとして特定する。
【００６１】
影響を受けた連動パラメータが存在しない場合（ステップＳ３０４否定）、編集画面表示制御部２６ｃは、現在表示している編集画面を特に変更することなく表示する（ステップＳ３０５）。
【００６２】
一方、影響を受けた連動パラメータが存在する場合（ステップＳ３０４肯定）、編集画面表示制御部２６ｃは、次に、影響を受けた連動パラメータが、シミュレーション指示を受け付けたパラメータが属する編集画面と同一のタブが付された編集画面に属するパラメータであるか否かを判定する（ステップＳ３０６）。ここで、上述したように、第１の実施形態において、編集画面は、各編集画面に付されたタブが選択されると、選択されたタブが付された編集画面に切り替えて表示される編集画面群である。
【００６３】
同一のタブが付された編集画面に属するパラメータである場合（ステップＳ３０６肯定）、編集画面表示制御部２６ｃは、影響を受けた連動パラメータのパラメータ値を、他のパラメータ値と異なる色で表示する（ステップＳ３０７）。例えば、編集画面表示制御部２６ｃは、図３の符号ｂに示すように、パラメータ「ＴＲ」のパラメータ値「２６６．０」の文字を赤色（編集画面の背景は黒色、他のパラメータは白色）で表示する。なお、パラメータ値そのものは、シミュレーション結果を反映せず、シミュレーション指示の前の値を維持する。
【００６４】
同一のタブが付された編集画面に属するパラメータでない場合（ステップＳ３０６否定）、編集画面表示制御部２６ｃは、影響を受けたパラメータが属する編集画面を特定し（ステップＳ３０８）、特定した編集画面に付されたタブを、他の編集画面に付されたタブと異なる色で表示する（ステップＳ３０９）。例えば、編集画面表示制御部２６ｃは、図５に示すように、タブ「ＳＡＲ」の文字を赤色（編集画面の背景は黒色、他のタブは白色）で表示する。なお、編集画面表示制御部２６ｃは、操作者によってそのタブが選択された場合には、該当するパラメータのパラメータ値を、例えば赤色（編集画面の背景は黒色、他のパラメータは白色）で表示する。
【００６５】
（第１の実施形態の効果）
上述したように、第１の実施形態に係るＭＲＩ装置１００は、シミュレーション指示を受け付けたパラメータにシミュレーション値を設定し、設定したシミュレーション値を用いて他のパラメータのパラメータ値を計算する。次に、ＭＲＩ装置１００は、計算結果に基づいて、シミュレーション指示を受け付けたパラメータと連動して値が変更し得るパラメータを特定し、特定したパラメータを、編集画面上で他のパラメータと区別して表示するように制御する。
【００６６】
このようなことから、第１の実施形態によれば、ＭＲＩ装置１００の操作者は、撮像条件の編集を簡易にする行うことができる。すなわち、第１の実施形態によれば、パラメータ値が変更される前に、変更の影響が及び得る他のパラメータが操作者に通知されるので、操作者にとって意図しないパラメータのパラメータ値が変更されてしまう結果とはならない。すると、従来、パラメータ値を変更した後にしか判断できなかった、変更の影響を受けるパラメータを予め知ることができるので、誤操作を防ぎ、操作性を上げることができる。
【００６７】
ここで、第１の実施形態においては、スライス数を示すパラメータ（『Ｎｏ  Ｓｌｉｃｅ』）と、繰り返し時間を示すパラメータ（『ＴＲ』）と、ＳＡＲを示すパラメータ（『ＳＡＲ』）との間に影響関係が存在した。また、スライス数の増減に応じた影響関係は対称ではなく、スライス数を減らした場合には繰り返し時間にのみ影響が及ぶが、スライス数を増やした場合には繰り返し時間及びＳＡＲの双方に影響が及ぶ、といった非対称な影響関係が存在した。
【００６８】
このため、第１の実施形態に係るＭＲＩ装置１００は、パラメータ値の上限方向への変更のシミュレーション指示、又は、パラメータ値の下限方向への変更のシミュレーション指示のいずれかを区別して受け付け、受け付けた方向に応じたシミュレーション値をパラメータに設定した。このようなことから、第１の実施形態によれば、パラメータ間の影響関係が非対称の場合にも、変更の影響が及び得るパラメータが正確に操作者に通知されることになる。
【００６９】
なお、ＭＲＩ装置１００は、パラメータ値の変更の方向を指定しないシミュレーション指示を受け付けるものであってもよい。この場合には、例えば、ＭＲＩ装置１００は、上限方向及び下限方向の変更に共通するパラメータを抽出して操作者に通知してもよいし、あるいは、上限方向又は下限方向の変更のいずれかの影響を受けるパラメータを全て操作者に通知してもよい。
【００７０】
（第１の実施形態の変形例）
ところで、第１の実施形態において説明したパラメータの影響関係は一例に過ぎず、影響関係が存在する他のパラメータ間にも同様に適用することができる。
【００７１】
（変形例１）
例えば、脂肪抑制パルスの印加有無を示すパラメータ（『Ｆａｔｓａｔ  Ｐｕｌｓｅ』）と、収集方式の種別を示すパラメータ（『Ｓｅｇｍｅｎｔ  Ｔｙｐｅ』）との間にも、影響関係が存在する。例えば、収集方式としてＳｗｉｒｌ法を選択した場合には、脂肪抑制パルスを印加することができない、といった影響関係が存在する。このため、パラメータ値計算部２６ｂは、パラメータ『Ｓｅｇｍｅｎｔ  Ｔｙｐｅ』として『Ｓｗｉｒｌ』が選択される場合は、パラメータ『Ｆａｔｓａｔ  Ｐｕｌｓｅ』のパラメータ値として『ＯＦＦ』を出力する計算式を、既存のアルゴリズムとして予め記憶している。
【００７２】
この場合、例えば、パラメータ『Ｆａｔｓａｔ  Ｐｕｌｓｅ』が『ＯＮ』の状態で、パラメータ値設定部２６ａが、パラメータ『Ｓｅｇｍｅｎｔ  Ｔｙｐｅ』として『Ｓｗｉｒｌ』を選択するシミュレーション指示を受け付けたとする。すると、パラメータ値計算部２６ｂは、既存のアルゴリズムを用いた計算により、パラメータ『Ｆａｔｓａｔ  Ｐｕｌｓｅ』のパラメータ値は『ＯＦＦ』であると計算する。この結果、編集画面表示制御部２６ｃは、パラメータ『Ｆａｔｓａｔ  Ｐｕｌｓｅ』に現在設定されているパラメータ値『ＯＮ』と、計算結果であるパラメータ値『ＯＦＦ』とを比較し、変更が生じているので、パラメータ『Ｆａｔｓａｔ  Ｐｕｌｓｅ』を、影響を受けた連動パラメータとして特定する。そして、編集画面表示制御部２６ｃは、パラメータ『Ｆａｔｓａｔ  Ｐｕｌｓｅ』が、パラメータ『Ｆａｔｓａｔ  Ｐｕｌｓｅ』と同一のタブが付された編集画面に属するパラメータであるか否かに応じて、パラメータ値を異なる色で表示するか、又は、タブを異なる色で表示する。
【００７３】
（変形例２）
また、例えば、傾斜磁場強度の時間変化率（ｄＢ／ｄｔ）を示すパラメータと、ＳＡＲとの間にも、影響関係が存在する。例えば、時間変化率を緩やかにした場合にはＳＡＲに影響が及ばないが、時間変化率を急峻にした場合にはＳＡＲに影響が及ぶ、といった非対称な影響関係が存在する。このため、パラメータ値計算部２６ｂは、時間変化率とＳＡＲとのこのような影響関係を示す計算式を、既存のアルゴリズムとして予め記憶している。
【００７４】
この場合、例えば、パラメータ値設定部２６ａが、時間変化率のパラメータの横に配置された下向きの三角ボタンにおいてシミュレーション指示を受け付けたとする。すると、パラメータ値計算部２６ｂは、時間変化率のパラメータに最小値を代入し、既存のアルゴリズムを用いた計算を行うが、この場合に計算されたＳＡＲのパラメータ値は、既に設定されているＳＡＲのパラメータ値と異ならないパラメータ値となる。このため、編集画面表示制御部２６ｃは、現在表示している編集画面を特に変更することなく表示する。
【００７５】
一方、例えば、パラメータ値設定部２６ａが、時間変化率のパラメータの横に配置された上向きの三角ボタンにおいてシミュレーション指示を受け付けたとする。すると、パラメータ値計算部２６ｂは、時間変化率のパラメータに最大値を代入し、既存のアルゴリズムを用いた計算を行うが、この場合に計算されたＳＡＲのパラメータ値は、既に設定されているＳＡＲのパラメータ値より高いパラメータ値となる。このため、編集画面表示制御部２６ｃは、ＳＡＲが、時間変化率のパラメータと同一のタブが付された編集画面に属するパラメータであるか否かに応じて、パラメータ値を異なる色で表示するか、又は、タブを異なる色で表示する。
【００７６】
（第２の実施形態）
続いて、第２の実施形態に係るＭＲＩ装置１００を説明する。第１の実施形態においては、撮像条件に含まれるパラメータのパラメータ値が変更される前に、変更の影響が及び得る他のパラメータを操作者に通知する例を説明した。ここで、上述したように、パラメータ間の影響関係は複雑である。このため、例えば、変更の影響が及び得るパラメータのパラメータ値を強制的に「固定」することで、異なる影響関係を生じさせることも考えられる。第２の実施形態に係るＭＲＩ装置１００は、変更の影響が及び得るあるパラメータのパラメータ値を強制的に「固定」した上で、新たに変更の影響が及び得ることとなった他のパラメータを操作者に通知する例を説明する。
【００７７】
図１２は、第２の実施形態に係るＭＲＩ装置１００の構成を示すブロック図である。図１２に示すように、第２の実施形態に係るＭＲＩ装置１００は、制御部２６に、更に、パラメータ値固定設定部２６ｄを備える。
【００７８】
パラメータ値固定設定部２６ｄは、編集画面上に表示されたパラメータについて、値を固定する指示を受け付け、指示を受け付けたパラメータに固定値を設定する。また、パラメータ値固定設定部２６ｄは、値を固定する指示を受け付けたパラメータ、このパラメータに設定された固定値を、パラメータ値計算部２６ｂに送る。
【００７９】
パラメータ値計算部２６ｂは、パラメータ値設定部２６ａからシミュレーション指示を受け付けた場合であって、パラメータ値固定設定部２６ｄからパラメータに設定された固定値を受け付けた場合には、シミュレーション値とともに、この固定値を用いて、撮像条件に含まれる他のパラメータのパラメータ値を計算する。
【００８０】
図１３及び図１４は、第２の実施形態に係る編集画面の一例を示す図である。なお、図１３及び図１４は、説明の便宜上、編集画面の一部を切り出して示す一例に過ぎず、編集画面の全体像、編集画面のデザイン、パラメータの名称、パラメータの配置、パラメータ値などは、運用の形態に応じて任意に変更し得るものである。
【００８１】
例えば、上述したように、パラメータ値計算部２６ｂは、ＳＡＲ＝ｆ（パラメータ『ＴＲ』、パラメータ『ＦＡ』、パラメータ『スライス数』）という計算式を、既知のアルゴリズムとして予め記憶する。例えば、図１３の（Ａ）に示すように、操作者が、パラメータ『ＴＲ』の横に配置された下向きの三角ボタンを右クリックしたとする。すると、パラメータ『ＴＲ』の許容設定範囲に含まれる最大値がパラメータ『ＴＲ』に設定され、パラメータ値計算部２６ｂは、この最大値をパラメータ『ＴＲ』に代入するとともに、パラメータ『ＦＡ』及びパラメータ『スライス数』には現在設定されているパラメータ値を代入することで計算を行う。すると、例えば、編集画面表示制御部２６ｃは、図１３の（Ａ）に示すように、パラメータ『ＳＡＲ』のパラメータ値「２」の文字を赤色（編集画面の背景は黒色、他のパラメータは白色）で表示する。
【００８２】
ここで、例えば、図１３の（Ｂ）に示すように、操作者が、パラメータ『ＳＡＲ』を右クリックすることで編集画面上にプルダウンメニューを表示させ、メニュー「パラメータ値を固定」を左クリックにより選択したとする。すると、パラメータ値固定設定部２６ｄは、パラメータ『ＳＡＲ』について値を固定する指示を受け付け、パラメータ値記憶部２３ｂを参照し、指示を受け付けたパラメータ『ＳＡＲ』に、現在設定されている固定値『２』を設定する。
【００８３】
すると、パラメータ値計算部２６ｂは、最大値をパラメータ『ＴＲ』に代入するとともに、パラメータ『ＳＡＲ』に固定値『２』を代入し、パラメータ『ＦＡ』及びパラメータ『スライス数』にパラメータ値を代入せずに計算を行う。この場合、既存アルゴリズムにもよるが、例えば、パラメータ『ＦＡ』及びパラメータ『スライス数』のパラメータ値が双方とも変化し、編集画面表示制御部２６ｃは、図１３の（Ｂ）に示すように、パラメータ『スライス数』のパラメータ値「２０」の文字及びパラメータ『ＦＡ』のパラメータ値「３０」の文字を赤色（編集画面の背景は黒色、他のパラメータは白色）で表示する。
【００８４】
次の例を説明する。例えば、パラメータ値計算部２６ｂは、撮像時間＝ｆ（パラメータ『スライス数』、パラメータ『撮像回数』）という計算式を、既知のアルゴリズムとして予め記憶する。例えば、図１４の（Ａ）に示すように、操作者が、パラメータ『スライス数』の横に配置された上向きの三角ボタンを右クリックしたとする。すると、パラメータ『スライス数』の許容設定範囲に含まれる最大値がパラメータ『スライス数』に設定され、パラメータ値計算部２６ｂは、この最大値をパラメータ『スライス数』に代入するとともに、パラメータ『撮像回数』には現在設定されているパラメータ値を代入することで計算を行う。すると、例えば、編集画面表示制御部２６ｃは、図１４の（Ａ）に示すように、パラメータ『撮像時間』のパラメータ値「２７０．０」の文字を赤色（編集画面の背景は黒色、他のパラメータは白色）で表示する。
【００８５】
ここで、例えば、図１４の（Ｂ）に示すように、操作者が、パラメータ『撮像時間』を右クリックすることで編集画面上にプルダウンメニューを表示させ、メニュー「パラメータ値を固定」を左クリックにより選択したとする。例えば、息止め撮像において、患者が高齢者の場合には息止めの時間に限界があるため、このようにパラメータ『撮像時間』を固定しなければならない場合がある。すると、パラメータ値固定設定部２６ｄは、パラメータ『撮像時間』について値を固定する指示を受け付け、パラメータ値記憶部２３ｂを参照し、指示を受け付けたパラメータ『撮像時間』に、現在設定されている固定値『２７０．０』を設定する。
【００８６】
すると、パラメータ値計算部２６ｂは、最大値をパラメータ『スライス数』に代入するとともに、パラメータ『撮像時間』に固定値『２７０．０』を代入し、パラメータ『撮像回数』にパラメータ値を代入せずに計算を行う。この場合、既存アルゴリズムにもよるが、例えば、パラメータ『撮像回数』のパラメータ値が多くなる方向で変化し、編集画面表示制御部２６ｃは、図１４の（Ｂ）に示すように、パラメータ『撮像回数』のパラメータ値「１」の文字を赤色（編集画面の背景は黒色、他のパラメータは白色）で表示する。
【００８７】
（第２の実施形態の効果）
上述したように、第２の実施形態に係るＭＲＩ装置１００は、パラメータ値固定設定部２６ｄを更に備える。パラメータ値固定設定部２６ｄは、あるパラメータと連動して値が変更し得る複数のパラメータのうち、いずれかのパラメータについて値を固定する指示を受け付け、指示を受け付けたパラメータに固定値を設定する。また、パラメータ値計算部２６ｂは、シミュレーション値及び固定値を用いて、撮像条件に含まれる他のパラメータの値を計算する。
【００８８】
このようなことから、第２の実施形態によれば、あるパラメータのパラメータ値については固定したいという個別の要求にも対応した上で、適切なシミュレーションを行い、新たに変更の影響が及び得ることとなった他のパラメータを操作者に通知することができる。
【００８９】
（その他の実施形態）
なお、上述の実施形態１や実施形態２においては、パラメータ値の文字の色を異なる色で表示する例を説明したが、実施形態はこれに限られるものではない。例えば、パラメータ値の文字を点滅させるなどして強調表示してもよい。また、パラメータの項目自体の縁取りを異なる色で表示したり、強調表示してもよい。また、上述の実施形態１や実施形態２においては、タブの文字の色を異なる色で表示する例を説明したが、実施形態はこれに限られるものではない。例えば、タブの背景色自体を異なる色で表示してもよい。すなわち、パラメータやタブを区別するための表示手法は、操作者が区別することが可能な表示手法であれば、上述の例に限らず、任意に変更することができる。
【００９０】
また、第１の実施形態においては、パラメータ値計算部２６ｂは、既存のアルゴリズムを用いた計算処理を行うものとして説明したが、実施形態はこれに限られるものではない。例えば、あるパラメータのパラメータ値が変更された場合に他のパラメータ値がどのように変化するかを対応付けたテーブルを予め記憶し、パラメータ値計算部２６ｂは、このテーブルを参照して、他のパラメータのパラメータ値を導出してもよい。
【００９１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９２】
２０  計算機システム
２６  制御部
２６ａ  パラメータ値設定部
２６ｂ  パラメータ値計算部
２６ｃ  編集画面制御部
【図１】
0005718743.tif 000002
【図２】
0005718743.tif 000003
【図３】
0005718743.tif 000004
【図４】
0005718743.tif 000005
【図５】
0005718743.tif 000006
【図６】
0005718743.tif 000007
【図７】
0005718743.tif 000008
【図８】
0005718743.tif 000009
【図９】
0005718743.tif 000010
【図１０】
0005718743.tif 000011
【図１１】
0005718743.tif 000012
【図１２】
0005718743.tif 000013
【図１３】
0005718743.tif 000014
【図１４】
0005718743.tif 000015